(57)【要約】【課題】  レギュラーサイズおよびキングサイズの両サイズに変形可能で、かつ、大きさを共通する寝袋同士で連結が可能なレクタングラー型寝袋を提供する。【解決手段】  連接が可能な第１の連接手段（１４）および第２の連接手段（１５）により、矩形の布地が２つ折りの状態で一端開放となるレクタングラー型寝袋であり、第１の連接手段（１４）がある側部に、ガセット（１３）が設けられ、連接が可能な第３の連接手段（２１）および第４の連接手段（２２）をガセット（１３）の外側部および第２の連接手段（１５）がある側部とに設け、ガセット（１３）は通常は内部に収容され、ガセット（１３）を第１の連接手段（１４）がある側部から外側に展開し、第３の連接手段（２１）および第４の連接手段（２２）を連接することにより、開口幅を拡張できる。【選択図】  図１
2006068063.tif 000002
【特許請求の範囲】
【請求項１】
連接が可能な第１の連接手段および第２の連接手段により、矩形の布地が２つ折りの状態で一端開放となるレクタングラー型寝袋であり、第１の連接手段がある側部に、ガセットが設けられ、連接が可能な第３の連接手段および第４の連接手段を該ガセットの外側部および第２の連接手段がある側部とに設け、該ガセットは通常は内部に収容され、該ガセットを第１の連接手段がある側部から外側に展開し、第３の連接手段および第４の連接手段を連接することにより、開口幅を拡張できることを特徴とするレクタングラー型寝袋。
【請求項２】
前記各連接手段がスライドファスナである請求項１に記載のレクタングラー型寝袋。
【請求項３】
２つの前記レクタングラー型寝袋を開放状態で裏地が向き合わされた状態で重ねて、相互の第１の連接手段と第２の連接手段とを連接することが可能であり、かつ、相互の第３の連接手段と第４の連接手段とを連接することが可能であることを特徴とする請求項１または２に記載のレクタングラー型寝袋。
【発明の詳細な説明】
【技術分野】
【０００１】
本発明は、レクタングラー型寝袋に関し、特に、展開した状態で２つ重ねに連結して使用可能なレクタングラー型寝袋に関する。
【背景技術】
【０００２】
寝袋には、大別してレクタングラー型寝袋とマミー型寝袋との２種類がある。いずれの寝袋の布材も、それぞれの形状に裁断された表地と裏地の間に中綿を入れ、縫い合わせて形成する。マミー型寝袋は、使用する人が足から入って、頭や顔を出すことが可能なように、頭側孔および該孔から足側に伸長する１組ないしは２組のスライドファスナを設けて、足側部が細い袋状に縫い合わせて形成する。一方、レクタングラー型寝袋は、前記布材を矩形に形成して、２つ折りの状態で一端（頭側端部）が開放の矩形袋状となるように、開放状態で、足側端部中央から両側部への３辺近傍に１組のスライドファスナを設ける。
【０００３】
レクタングラー型寝袋は、開口端部から足側端部までの長さが約１９０ｃｍで、開口幅が約８４ｃｍの大きさが標準（レギュラーサイズ）である。しかし、使用する人の体格に合わせて、開口端部から足側端部までの長さが約２００ｃｍで、開口幅が約１００ｃｍの大きさのものもある（キングサイズ）。
【０００４】
例えば、体格の小さい人がキングサイズのレクタングラー型寝袋に入ると全体に余分な隙間ができて、内部が温まりにくく、暖まった空気も逃げやすいという問題がある。一方、季節により寝袋に入る時の衣類の厚さが異なるため、普段はレギュラーサイズの寝袋で充分な人が、キングサイズの寝袋が必要となる場合も生じる。従って、２種類のレクタングラー型寝袋を装備しなければならない不合理を解消するために、レギュラーサイズおよびキングサイズの相互に変形可能なレクタングラー型寝袋が求められている。
【０００５】
また、近年は、大型のテントの中や、オートキャンプのように充分な広さの車内などで使用される機会が多くなってきたため、複数人が同時に使用できるように、２つのレクタングラー型寝袋を、開放状態で裏地が向き合わされた状態で重ねて、それぞれのスライドファスナを連接させることにより、レクタングラー型寝袋を連結して使用される場合がある。構造的にマミー型寝袋ではこのような連結はできないが、大きさおよびスライドファスナの種類を共通化することにより、レクタングラー型寝袋ではかかる連結が可能となる。
【０００６】
特許第２５７４６３３号公報には、このような連結機能を高めたレクタングラー型寝袋が記載されている。
【０００７】
しかし、サイズの異なるレクタングラー型寝袋では、布材自体の大きさもスライドファスナの長さも異なるため、両者を連結することは困難である。従って、レギュラーサイズのレクタングラー型寝袋同士およびキングサイズのレクタングラー型寝袋同士の連結はそれぞれ可能でも、異なるサイズのレクタングラー型寝袋同士の連結ができないという問題があった。
【０００８】
そのため、すでにレクタングラー型寝袋を所有していて、さらに連結用のレクタングラー型寝袋を購入する場合には、所有している寝袋のサイズに合わせる必要があり、例えば、レギュラーサイズとキングサイズの２種類を購入しても、かかる連結を行うことができず、一方、サイズを揃えてしまうと、２つの寝袋を所有していても、状況に応じたサイズの変更に対応できないという問題があった。
【０００９】
【特許文献１】特許第２５７４６３３号公報
【発明の開示】
【発明が解決しようとする課題】
【００１０】
本発明は、レギュラーサイズおよびキングサイズの両サイズに変形可能で、かつ、大きさを共通する寝袋同士で連結が可能なレクタングラー型寝袋を提供することを目的とする。
【課題を解決するための手段】
【００１１】
本発明のレクタングラー型寝袋は、連接が可能な第１の連接手段および第２の連接手段により、矩形の布地が２つ折りの状態で一端開放となるレクタングラー型寝袋であり、第１の連接手段がある側部に、ガセットが設けられ、連接が可能な第３の連接手段および第４の連接手段を該ガセットの外側部および第２の連接手段がある側部とに設け、該ガセットは通常は内部に収容され、該ガセットを第１の連接手段がある側部から外側に展開し、第３の連接手段および第４の連接手段を連接することにより、開口幅を拡張できる。
【００１２】
さらに、前記各連接手段がスライドファスナであることが好ましい。
【００１３】
さらに、２つの前記レクタングラー型寝袋を開放状態で裏地が向き合わされた状態で重ねて、相互の第１の連接手段と第２の連接手段とを連接することが可能であり、かつ、相互の第３の連接手段と第４の連接手段とを連接することが可能であることが好ましい。
【発明の効果】
【００１４】
本発明により、レギュラーサイズおよびキングサイズの両サイズに変形可能で、同じ大きさの寝袋であれば相互に連結が可能なレクタングラー型寝袋が提供され、１つないしは２つの寝袋により多様なニーズに応えることが可能となった。
【発明を実施するための最良の形態】
【００１５】
本発明について、図面を参照して説明する。図１は、本発明の一実施例のレクタングラー型寝袋を示す平面図である。図２は、レギュラーサイズでの使用状態を示す平面図であり、図３は、図２のIII-III断面図である。図４は、キングサイズでの使用状態を示す平面図であり、図５は、図４のＶ-Ｖ断面図である。
【００１６】
布材は、矩形で、表地（１１）と裏地（１２）とにより、断熱効果が得られる中綿を収容する。布材は、連接が可能な第１のスライドファスナ（１４）および第２のスライドファスナ（１５）により（両者で１組のスライドファスナを構成する）、２つ折りの状態でレギュラーサイズの開口幅を有する一端開放のレクタングラー型寝袋本体となる。スライダー（１４ａ）は、第１のスライドファスナ（１４）に設けても、第２のスライドファスナ（１５）に設けてもよい。連接手段としては、スライドファスナでなくとも、面ファスナやボタン止めなど、公知の技術のいずれでもよい。
【００１７】
第１のスライドファスナ（１４）がある本体側部に、開放端から一方の側部途中までの長さを長辺とする布材からなるガセット（１３）が設けられる。
【００１８】
さらに、第３のスライドファスナ（２１）を、ガセット（１３）の外側部（本体に接続されていない側）に設け、第３のスライドファスナと組み合わされる第４のスライドファスナ（２２）を、第２のスライドファスナ（１５）がある本体側部近傍で第３のスライドファスナの設置位置に対応する部分に設ける。スライダー（２１ａ）は、第３のスライドファスナ（２１）に設けても、第４のスライドファスナ（２２）に設けてもよい。第４のスライドファスナ（２２）は、第２のスライドファスナ（１５）と平行するように設ければよく、表地（１１）の側であっても、裏地（１２）の側であっても、いずれでもよい。
【００１９】
ガセット（１３）は、図１に示すように、展開した状態で２つの略三角形を対称に並置した形状であり、図４に示すように、中央部で縦に折り畳むことにより袋状の略三角形を形成する。通常の使用状態では、本体内部に全体が折り畳まれているが、ガセット（１３）を本体から外側に引き出し、これを折り畳んで、第３のファスナおよび第４のファスナを連接することにより、開口端側に拡張部が形成される。
【００２０】
すなわち、ガセット（１３）の開口部における幅を約３２ｃｍとし、第３のスライドファスナ（２１）と第４のスライドファスナ（２２）を連接することにより、レギュラーサイズであった開口幅の８４ｃｍを、キングサイズである開口幅の１００ｃｍに拡張可能となる。
【００２１】
図示した例では、ガセット（１３）を略三角形にして、腰から上にあたる部分がラッパ状に膨らみ、開口幅をキングサイズとなるようにした。人は、大きい体型であっても、一般的体型の人との比較では、腰から下の差異は小さく、通常、腰から胸までの断面積の差異が大きいので、図示した例のように開口端寄りが広いラッパ形状とすれば充分である。しかし、例えばガセット（１３）を約３２ｃｍ×約１９０ｃｍの縦長の矩形にして、通常のキングサイズのレクタングラー型寝袋の形状に変形可能としてもよい。また、ガセット（１３）は、扇形状でもよい。
【００２２】
図６は、２つのレクタングラー型寝袋の連結状態を示す平面図であり、図７は、図６のVII-VII断面図である。
【００２３】
本発明の２つのレクタングラー型寝袋を、裏地が向き合うようにして、一方の寝袋の第１のスライドファスナ（１４）と、他方の寝袋の第２のスライドファスナ（１５）とを連接する。このように連結させることにより、２人以上の人が同時に使用可能となる。
【００２４】
さらに、本発明のレクタングラー型同士の場合には、それぞれのガセット（１３）を引き出して、一方の第３のスライドファスナ（２１）を他方の第４のスライドファスナ（２２）に連接することにより、両側に拡張部を形成することが可能であり、開口端の長さを２００ｃｍまで拡張することができる。体格の大きな大人同士や親子全員で同時に使用可能となる。
【００２５】
なお、図示した実施例では、本発明のレクタングラー型寝袋を２つ連結させているが、従来のレギュラーサイズのレクタングラー型寝袋に、本発明のレクタングラー型寝袋を連結させることも可能である。この場合、ガセット（１３）により拡張部を形成することはできないが、単独使用の場合には、上述の作用・効果を有するので、多様な状況に対応できる。
【図面の簡単な説明】
【００２６】
【図１】本発明の一実施例のレクタングラー型寝袋を示す平面図である。
【図２】図１に示したレクタングラー型寝袋をレギュラーサイズで使用した状態を示す平面図である。
【図３】図２のIII-III断面図である。
【図４】図１に示したレクタングラー型寝袋をキングサイズで使用した状態を示す平面図である。
【図５】図４のＶ-Ｖ断面図である。
【図６】図１に示したレクタングラー型寝袋を２つ、連結した状態を示す平面図である。
【図７】図６のVII-VII断面図である。
【符号の説明】
【００２７】
１１  表地
１２  裏地
１３  ガセット
１４  第１のスライドファスナ
１４ａ  スライダー
１５  第２のスライドファスナ
２１  第３のスライドファスナ
２１ａ  スライダー
２２  第４のスライドファスナ
【図１】
2006068063.tif 000003
【図２】
2006068063.tif 000004
【図３】
2006068063.tif 000005
【図４】
2006068063.tif 000006
【図５】
2006068063.tif 000007
【図６】
2006068063.tif 000008
【図７】
2006068063.tif 000009